(57)【要約】【課題】本発明は安定した通信品質を得ることのできるデータ通信装置を提供することが目的である。【解決手段】本発明は、この課題を解決するために、データ通信装置１１は、装着面１１ａと装着面１１ａの反対の外面１１ｂを有している。さらにまた、データ通信装置１１は、ベルト２２と、バックル部２３と、通信電極１５と、通信部１３を有している。ベルトは２２、バックル部２３に結合されている。通信電極１５は、ベルト２２またはバックル部２３の装着面１１ａで露出するように形成されている。通信部１３は、通信電極１５と電気的に接続されている。以上の構成において、バックル部２３はバックル型である。この構成により、ベルト２２を適した長さに設定できるので、データ通信装置１１を装着した際に通信電極１５と人体との間の距離を小さくできる。【選択図】図１
2019114833.tif 000002
【特許請求の範囲】
【請求項１】
装着面と、前記装着面の反対の外面とを有したデータ通信装置において、
前記装着面で露出するように設けられた通信電極と、
前記通信電極と電気的に接続された通信部と、
前記装着面を有したベルトと、
前記装着面を有し、前記ベルトと結合されたバックル部と、を備え、
前記バックル部はバックル型である、
データ通信装置。
【請求項２】
前記通信電極が露出するように設けられた本体ケースをさらに有し、
前記バックル部は、前記本体ケースの外面側に設けられた、
請求項１記載のデータ通信装置。
【請求項３】
前記本体ケースは、前記バックル部の一部を兼ねる、
請求項２記載のデータ通信装置。
【請求項４】
前記バックル部は、
バックル本体と、
前記バックル本体と結合された固定部と、
前記固定部と前記バックル本体との間に形成され、前記ベルトの先端部が挿通される空隙と、を有し、
前記固定部は、前記ベルトを前記空隙に挿通した際に前記ベルトを圧接する、
請求項１記載のデータ通信装置。
【請求項５】
前記固定部は、前記ベルトの貫通方向に並んで設けられた第一の固定部と第二の固定部とを有した、
請求項４に記載のデータ通信装置。
【請求項６】
一方が前記本体ケース内で前記通信部のグランドと電気的に接続され、前記一方の反対の他方に先端を有し、前記ベルト内に収納されたグランド電極を、さらに設け、
前記ベルトを前記空へ挿通した状態で、前記グランド電極の前記先端は前記バックル部と重なる位置まで延在されている、
請求項４記載のデータ通信装置。
【請求項７】
前記グランド電極の先端は、前記ベルトの根元と重なる位置まで延在されている、
請求項６記載のデータ通信装置。
【請求項８】
前記グランド電極の幅は、一定である、
請求項６記載のデータ通信装置。
【発明の詳細な説明】
【技術分野】
【０００１】
本発明は、人体の一部へ装着して使用するウェラブル型のデータ通信装置に関する。
【背景技術】
【０００２】
以下、従来のデータ通信装置について説明する。従来のデータ通信装置は、本体ケースと、通信部と、通信電極と、グランド電極と、ベルトと、バックル部を有している。通信部は本体ケース内に収納されている。通信電極は、人体に接触させて通信信号を送受信する。ベルトは本体ケースに結合されている。グランド電極はベルトの先端部分に形成されており、グランド電極と通信部の間や、通信電極と通信部の間は、ベルト内に配線されたなど導線などによって接続されている。
【０００３】
このようなデータ通信装置を人体に装着する際、ベルトを人体に巻く。そして、バックル部でベルトを締結することによって、人体への装着状態を維持する。なお、ベルトの先端部の近傍には複数のピン孔が設けられている。一方、バックル部は金属製のリング体と、ピンを有している。ピンはリング体をまたがるように配置されている。このデータ通信装置を人体に装着する場合、ベルトの先端をリング体に通した状態で、ピンをピン孔へ挿入することによって、ベルトを所定の長さに調整する。
【０００４】
なお、この出願の発明に関連する先行技術文献情報としては、例えば、特許文献１が知られている。
【先行技術文献】
【特許文献】
【０００５】
【特許文献１】特開２００６―２３９７１６号公報
【発明の概要】
【発明が解決しようとする課題】
【０００６】
しかしながら従来のデータ通信装置では、ベルト長さの調節はピン孔の位置によって規制される。したがって、ベルトを、通信電極が装着者の肌に触れるような長さに調整できない場合が発生する。さらに、一般的なベルトであれば、ベルトのバックル部への結合された箇所を切断してベルトの長さを調整できる。しかしながら、ベルト内に導線が配線されているので、ベルト部を切断して長さを調節することができない。その結果、装着者によっては通信電極と人体との間の距離が大きく離れてしまう場合が発生するという課題を有していた。
【０００７】
そこで本発明は、この問題を解決したもので、通信電極と人体との間の距離を小さくでき、安定した通信品質を得ることのできるデータ通信装置を提供することが目的である。
【課題を解決するための手段】
【０００８】
この目的を達成するためにデータ通信装置は、装着面と外面を有している。なお、外面は装着面の反対に形成される。さらに、データ通信装置は、バックル部と、ベルト部と、通信電極と、通信部とを有している。ベルトは、バックル部に結合されている。通信電極は、ベルトまたはバックルの装着面で露出するように形成されている。通信部は、通信電極と電気的に接続されている。以上の構成において、バックル部はバックル型である。これにより所期の目的を達成することができる。
【発明の効果】
【０００９】
以上のように本発明のバックル部はバックル型であるので、ベルトの長さを自在に調節できる。したがって、ベルトを装着者に適した長さに設定できるので、装着者がデータ通信装置を装着した際に通信電極と人体との間の距離を小さくできる。その結果、安定した通信品質を得ることのできるデータ通信装置を提供できる。
【図面の簡単な説明】
【００１０】
【図１】本発明の実施の形態におけるデータ通信システムの概念図である。
【図２】本発明の実施の形態におけるデータ通信装置のブロック図である。
【図３】本発明の実施の形態におけるデータ通信装置の概念図である。
【図４】本発明の実施の形態におけるデータ通信装置の分解斜視図である。
【図５】本発明の実施の形態におけるデータ通信装置を表面から見た正面図である。
【図６】本発明の実施の形態におけるデータ通信装置の右側面図である。
【図７】本発明の実施の形態におけるデータ通信装置の左側面図である。
【図８】本発明の実施の形態におけるデータ通信装置の上面図である。
【図９】本発明の実施の形態におけるデータ通信装置の下面図である。
【図１０】本発明の実施の形態におけるデータ通信装置を装着面から見た背面図である。
【図１１】本発明の実施の形態におけるデータ通信装置の斜視図である。
【図１２】本発明の実施の形態においてベルトを締めた際のデータ通信装置の斜視図である。
【発明を実施するための形態】
【００１１】
以下本実施の形態におけるデータ通信装置について説明する前に、データ通信装置を用いて通信するデータ通信システムについて説明する。図１は、データ通信システム１００１の概念図である。データ通信システム１００１は、データ通信装置１１と通信制御装置１００２を有している。
【００１２】
通信制御装置１００２は、通信電極１００２ａと、グランド電極１００２ｂと、通信部１００２ｃを有している。通信電極１００２ａは、通信部１００２ｃと接続されている。グランド電極１００２ｂと、通信部１００２ｃのグランド端子（図示せず）は共にアース１００３へ接続されている。
【００１３】
一方、データ通信装置１１は、装着者１００４へ装着される。なおデータ通信装置１１は、たとえば腕１００４ａに装着される。データ通信装置１１は、装着面１１ａと、外面１１ｂを有している。なお、外面１１ｂは、装着面１１ａの反対に形成されている。そして、データ通信装置１１を腕１００４ａに装着する際、装着面１１ａが腕１００４ａに向く方向でデータ通信装置を装着する。この場合、装着者１００４は、手１００４ｃで通信電極１００２ａと触れる。これにより、データ通信装置１１と通信制御装置１００２とが通信する。その際、データ通信装置１１と通信制御装置１００２は、装着者１００４の人体を介して通信する。なお、装着者１００４は、手のひらや手の甲、あるいは指１００４ｂで通信電極１００２ａを触れる。なお、装着者１００４は、手１００４ｃで通信電極１００２ａを触れる構成に限られず、たとえば肘などの腕１００４ａで通信電極１００２ａを触れても良い。いずれにせよ、装着者１００４は、データ通信装置１１を装着した箇所に近い部位で通信電極１００２ａを触れる。なお、装着者１００４は、直接に通信電極１００２ａに触れる構成に限られず、通信可能な範囲であれば、指１００４ｂと通信電極１００２ａとの間に介在物を有していても良い。
【００１４】
装着者１００４が、指１００４ｂで通信電極１００２ａへ触れた場合、データ通信装置１１と通信制御装置１００２とは、腕１００４ａ、手１００４ｃ、指１００４ｂを介して通信する。すなわち、腕１００４ａから指１００４ｂまでの間の人体は、データ通信装置
１１と通信制御装置１００２との間の通信路を構成する。
【００１５】
このようにデータ通信装置１１は、装着者１００４へ装着されるので、アース線などによって直接アースなどへグランドを取ることができないので、一般的にデータ通信装置１１は非接地状態で動作する。すなわち、データ通信装置１１は、電位的にフローティング状態となる。なお、データ通信装置１１を腕１００４ａに装着した構成に限られず、脚や胴などへ装着する構成でも構わない。
【００１６】
装着者１００４は、通信制御装置１００２へ指示をしようとする際、一般的に指１００４ｂまたは手１００４ｃによって通信制御装置１００２を触れる。そこで、データ通信装置１１は、指１００４ｂや手１００４ｃから近い腕１００４ａへ装着する。この構成により、指１００４ｂによって通信制御装置１００２を触れた場合でも、データ通信装置１１は、グランド電極１００２ｂから比較的近い位置となる。したがって、データ通信装置１１は、データ通信装置１１とグランド電極１００２ｂとの間の空間を介して接地された構成とできる。
【００１７】
（実施の形態１）
以下本実施の形態におけるデータ通信装置１１について図面を用いて説明する。図２は、データ通信装置１１の回路ブロック図である。データ通信装置１１は、電源部１２と、通信部１３と通信アンテナ１４を有している。なお、通信アンテナ１４は通信電極１５（Ｈｏｔ電極）と、面状のグランド電極１６（Ｃｏｌｄ電極）を有している。通信部１３は、電源部１２によって駆動される。通信電極１５は、通信部１３と接続されている。そして、通信部１３は、通信電極１５へ通信信号を送信する。あるいは通信部１３は、通信電極１５から通信信号を受信する。一方、グランド電極１６は、通信部１３のグランド１７と接続されている。
【００１８】
そしてこのように構成されたデータ通信装置１１を装着者１００４の人体へ装着する。データ通信装置１１は、装着面１１ａと外面１１ｂを有している。なお、外面１１ｂは、装着面１１ａの反対に形成されている。ここで、データ通信装置１１は、装着面１１ａ側を装着者１００４の人体へ向く方向で装着される。そして、このようなデータ通信装置１１は、通信電極１５を人体に対向させる向きで装着する。つまり、装着面１１ａは、データ通信装置１１において通信電極１５が設けられた面側を指す。このようにして装着者１００４へ装着された通信電極１５から送信された通信信号は、装着者１００４の人体を介して通信制御装置１００２へと送信される。一方、通信制御装置１００２から送信された通信信号は、装着者１００４の人体を介して通信電極１５で受信される。
【００１９】
データ通信装置１１は、通信電極１５が装着者１００４の体へ直接触れるように装着することが好ましい。この構成により、通信信号の損失を少なくできるので、データ通信装置１１と通信制御装置１００２との間の通信が安定する。なお、通信電極１５の表面１５ａは、人体に直接接触する構成に限られず、小さな隙間を有していてもよい。また、人体と通信電極１５の間に薄手の衣服などが介在していても良い。ただしこの場合、通信電極１５と装着者１００４の人体との間の浮遊容量の増加によって通信信号に減衰が生じる。そこで、衣服の厚さや隙間の距離は、通信電極１００２ａでの電界強度が所定以上のレベルを確保可能な程度であれば良い。
【００２０】
図３は、データ通信装置１１の概念図である。データ通信装置１１は、本体ケース２１と、ベルト２２を有している。データ通信装置１１は、ベルト２２を締結することによって腕１００４ａへと保持される。そのために、ベルト２２は、腕１００４ａへ巻かれて、ベルト２２の先端部を後述する固定部によって締結されて腕１００４ａに装着・保持される。
【００２１】
電源部１２や通信部１３は、本体ケース２１内に収納されている。本体ケース２１は、底面２１ａと側面２１ｂを有している。そしてベルト２２は、本体ケース２１の側面２１ｂ側で本体ケース２１と結合されている。なお、ベルトの少なくとも一部は、絶縁体２２ａで形成されている。そして、データ通信装置１１は底面２１ａが腕１００４ａを向く方向で装着される。すなわち、本体ケース２１の底面２１ａが、装着面を構成する。
【００２２】
通信電極１５は、底面２１ａで本体ケース２１から露出して設けられている。一方、グランド電極１６の一方は、本体ケース２１内でグランド１７と接続されている。また、グランド電極１６の他方は、本体ケース２１の内部から本体ケース２１の外にまで延在されている。そして、グランド電極１６は、通信電極１５の表面１５ａ（あるいは底面２１ａ）を本体ケース２１の外まで伸ばした面１５ｂと対向する向きで配置されている。さらに本体ケース２１の外にまで延在された部分には、面１５ｂと対向する面１６ａを有し、この面１６ａは絶縁体２２ａで覆われている。この構成により、グランド電極１６の面１６ａ側の絶縁体２２ａの表面が装着面を構成する。すなわち、ベルト２２の面１５ｂ側が装着面１１ａとなる。そして、本体ケース２１をベルト２２で腕１００４ａへ装着した際に、グランド電極１６（の面１６ａ）と、腕１００４ａとの間には、ベルト２２の絶縁体２２ａが介在する。
【００２３】
以上の構成により、データ通信装置１１を装着者１００４へ装着した際、絶縁体２２ａによってグランド電極１６が装着者１００４へ直接触れないようにできる。したがって、送信電極から出力される信号や送信電極で受信すべき信号が、グランド電極へ流れにくくなる。その結果、データ通信装置１１と通信制御装置１００２との間での通信の感度が向上する。
【００２４】
以下、データ通信装置１１についてさらに詳しく説明する。電源部１２は、二次電池であることが好ましい。この構成により、電池交換が不要とできるので、防水性の面で有利である。なお、電源部１２は二次電池に限られず、一次電池でも良い。
【００２５】
通信部１３は、送信器１３ａと、受信器１３ｂと、制御回路１３ｃとメモリ１３ｄとスイッチ１３ｅなどを有しても良い。通信電極１５は、スイッチ１３ｅの入出力端子と接続されている。スイッチ１３ｅの入力端子は、送信器１３ａの出力と接続されている。一方、スイッチ１３ｅの出力端子は、受信器１３ｂの入力と接続されている。スイッチ１３ｅは、受信時に通信電極１５と受信器１３ｂとを電気的に接続し、送信時に通信電極１５と送信器１３ａとを電気的に接続するように切り替える。メモリ１３ｄには、たとえば装着者あるいはデータ通信装置のＩＤデータなどが格納されている。そして、制御回路１３ｃはメモリ１３ｄからこれらのデータを取得して、送信器１３ａへと送信する。一方、受信器１３ｂは、通信制御装置１００２からたとえば応答信号などを受信する。応答信号は、たとえばデータ通信装置１１から送られた通信を通信制御装置１００２が正常に受信できた旨を示す。
【００２６】
図４はデータ通信装置１１の分解斜視図である。図５は、データ通信装置１１を外面１１ｂ側から見た正面図である。図６は、データ通信装置１１の右側面図である。図７は、データ通信装置１１の左側面図である。図８は、データ通信装置１１の上面図である。図９は、データ通信装置１１の下面図である。図１０は、データ通信装置１１を装着面１１ａから見た背面図である。
【００２７】
データ通信装置１１は、さらに外部入出力１８や表示部１９を有しても良い。外部入出力１８や表示部１９は、本体ケース２１内に収納される。表示部１９は制御回路１３ｃの制御信号によって点灯する。表示部１９は、たとえば送信器１３ａから通信信号を正常に
送信した際に点灯する。あるいは、受信器１３ｂから応答信号を受信した際に点灯する。この構成により、装着者は、データ通信装置１１と通信制御装置１００２との間で正常に通信が完了できたことを認識できる。また、データ通信装置１１は、外部のデータを取り込んで通信制御装置１００２へと送信することもできる。なお、データ通信装置１１は、さらに外部入出力１８や表示部１９を有しても良い。この場合、ＵＳＢケーブルなどを介して外部機器から電源部１２に対して電力を充電することもできる。
【００２８】
ベルト２２は腕１００４ａに巻かれるので、ベルト２２は柔軟性を有した材料によって構成する。さらに、グランド電極１６も、柔軟性を有する構成とする。そのために、グランド電極１６は、たとえば厚みの薄い金属板によって構成する。あるいはグランド電極１６は、フレキシブル基板の銅箔によって構成する。
【００２９】
グランド電極１６は、面１６ａの反対の面１６ｂも絶縁体２２ａで覆われていることが好ましい。この構成により、グランド電極１６は、ベルト２２内に収納された構成となる。したがって、不意に金属体がベルト２２に接触することを抑制できる。したがって、このような際にでも、データ通信装置１１と通信制御装置１００２との間の通信が安定する。
【００３０】
グランド電極１６は、２２ベルトの先端部近傍まで延在して設けられていることが好ましい。この構成により、ベルト２２を腕１００４ａへ巻いた際に、グランド電極１６が腕の周りを一周する。この構成により、腕１００４ａの方向や位置などの姿勢によらず、グランド電極１６と通信制御装置１００２のグランド電極１００２ｂとの間の距離や方向の変化を小さくできる。したがって、腕１００４ａの方向や位置などの姿勢によらず、データ通信装置１１と通信制御装置１００２との間の通信が安定する。
【００３１】
さらに本体ケース２１は、装着側ケース２１１と、外側ケース２１２を有している。装着側ケース２１１の中央に通信電極１５が底面２１ａから露出するように配置されている。外側ケース２１２は、装着側ケース２１１の外側に配置されている。そして、装着側ケース２１１と外側ケース２１２とが組み合わされて密閉されている。そして、本体ケース２１の内部に形成された空間内に通信部やどの電気回路が収納されている。
【００３２】
ベルト２２は、装着側ケース２１１と外側ケース２１２で挟み込まれて、本体ケース２１に結合されている。装着側ケース２１１は、通信電極１５の外縁の外側に樹脂製の枠部２１ｃを有することが好ましい。この構成により、通信電極１５とグランド電極１６との間の距離を離すことができる。したがって、通信信号がグランド電極へと流れることによる通信信号の減衰を抑制できる。
【００３３】
また、グランド電極１６の面１６ａは、面１５ｂから前面２１ｄ側へ離れて配置することが好ましい。前面２１ｄは、本体ケース２１において底面２１ａの反対である。そのために、たとえばベルト２２の根元が、本体ケース２１の側面２１ｂにおいて底面２１ａ側端部から段差を有する位置で結合する構成としている。この構成により、ベルト２２を腕１００４ａへ巻きつけた場合、ベルト２２は、本体ケース２１の底面２１ａの外縁から少し離れた位置で腕に接する。したがって、ベルト２２を腕１００４ａへ巻きつけた際に、ベルトの根元の近傍においてグランド電極１６と通信電極１５との間の距離が小さくなることを抑制できる。
【００３４】
さらに、通信電極１５は、底面２１ａと略同一平面上に並んで配置されていることが好ましい。この構成により、データ通信装置１１を腕に装着する際に、通信電極１５と腕１００４ａとの間の距離を短くできる。したがって、通信電極１５が腕１００４ａと接しやすくなるので、通信信号を腕１００４ａへと伝送する際の損失を少なくできる。なお、通
信電極１５は、底面２１ａと略同一平面上に並んでいる構成に限られず、底面２１ａから突出して配置されていても良い。また、通信電極１５は、本体ケース２１の装着面１１ａから露出した構成に限られず、ベルト２２の装着面１１ａ側に配置されていてもよい。
【００３５】
次に、データ通信装置１１を腕１００４ａに装着する構成について説明する。
図１１は、データ通信装置１１の斜視図である。図１２は、ベルト２２を締めた際のデータ通信装置１１の斜視図である。
【００３６】
データ通信装置は、さらにバックル部２３を有している。バックル部２３は、装着面１１ａを腕１００４ａに向う方向で腕に巻かれて装着される。ベルト２２は、バックル部２３によって長さを調節されて、腕に巻かれた状態を維持できる。なお、データ通信装置１１は、通信電極１５の表面１５ａを人体に直接接触するように装着することが好ましい。しかし、腕１００４ａの太さは人それぞれである。したがって、ベルト２２は、自在に長さを調整できることが望ましい。そのために、バックル部２３はバックル式であることが望ましい。バックル式のバックル部２３には、ベルト２２を固定するためのピンを有していない。すなわち、ベルト２２には、ピンを貫通させてベルト２２を固定するためのピン孔が形成されていない。この構成により、ベルト２２の長さを自由に調整することができるので、腕１００４ａの太さによらず通信電極１５と腕１００４ａとの間の隙間を小さくできる。したがって、通信信号の損失を小さくできる。
【００３７】
仮に、ベルト２２にピン孔を形成する場合、グランド電極１６はピン孔の位置を除いて形成する必要がある。すなわち、ピン孔の位置にグランド電極１６の欠落部が生じる。しかし、バックル式のベルト２２では、ピン孔を設けなくてもよいので、ピン孔によるグランド電極１６の欠落部を設けなくても良い。したがって、腕１００４ａの向きによらずグランド電極１６の大きさを一定にできる。なおこの際、グランド電極１６を外側から見た際に、根元から先端に向う方向に対して直交する方向のグランド電極１６の幅は、根元から先端まで同じであることが好ましい。
【００３８】
バックル式のバックル部２３は、たとえばバックル本体２３１と、空隙２３２と、固定部２３３を有している。固定部２３３はバックル本体２３１と結合されている。なお、バックル本体２３１と固定部２３３との間に、空隙２３２が形成されている。そして、データ通信装置１１を腕１００４ａへ装着する際、ベルト２２の先端を空隙２３２へ挿通する。この状態で、固定部２３３は、ベルト２２へ圧接されている。この構成により、ベルト２２は固定部２３３とバックル本体２３１との間に挟み込まれて保持される。
【００３９】
バックル部２３は、本体ケース２１の外面１１ｂ側に配置されている。なお、本体ケース２１は、バックル部２３の一部を兼ねてもよい。すなわちバックル部２３は、バックル本体２３１を構成する外側ケース２１２と、底面２１ａを装着面１１ａとする装着側ケース２１１とを含む。この場合、装着側ケース２１１の底面２１ａは、バックル部２３の装着面１１ａを構成する。また、外側ケース２１２の前面２１ｄが、バックル本体２３１を兼ねる。この構成により、バックル部２３の厚みを薄くできる。また、バックル部２３と本体ケース２１とをベルト２２において１箇所に集約できる。従って、データ通信装置１１を腕１００４ａへ装着した際の装着感が良い。
【００４０】
なお、本体ケース２１は、バックル本体２３１を兼ねた構成に限られず、本体ケース２１の前面２１ｄをバックル本体２３１と別体に形成しても良い。すなわちバックル部２３は、バックル本体２３１と外側ケース２１２と装着側ケース２１１とを含む。この場合、バックル本体２３１は、本体ケース２１の前面２１ｄの外面１１ｂ側に重なった状態で本体ケース２１と固定される。この構成により、バックル部２３を容易に交換できる。したがって、装着者１００４は、バックル部２３を自分の好みのデザインのバックル部２３へ
と交換できる。また、この場合もバックル部２３と本体ケース２１とをベルト２２において１箇所に集約できる。
【００４１】
また、本体ケース２１は、バックル部２３の装着面１１ａ側に配置される構成に限られず、本体ケース２１は、バックル部２３とは異なる位置に配置されていても良い。この場合、本体ケース２１は、バックル部２３とは重ならない位置に配置される。つまり、本体ケース２１は、バックル部２３と、ベルト２２の先端部との間でベルト２２と結合されるように配置される。さらに、ベルト２２は、バックル部２３と結合される。この場合、ベルト２２は、バックル本体２３１と結合される。この場合、通信電極１５は、本体ケース２１に配置される構成に限られず、ベルト２２あるいはバックル本体２３１の装着面１１ａ側に配置しても良い。これらの構成により、バックル部２３の厚みを薄くできる。なお、データ通信装置１１を腕１００４ａに装着する場合、腕１００４ａに装着された状態で本体ケース２１は、腕１００４ａにおいてバックル部２３の反対の位置に配置すると良い。これらの構成とすることで、腕１００４ａに装着した際の違和感を少なくできる。
【００４２】
次に、固定部２３３について詳細に説明する。固定部２３３は、固定部２３３ａと固定部２３３ｂを有していることが好ましい。なお、固定部２３３ａと固定部２３３ｂは、ベルト２２の貫通方向に向って並んで設けられている。そしてベルト２２は、固定部２３３ａとバックル本体２３１の間の空隙２３２ａを装着面１１ａ側から外面１１ｂに向う方向へ挿入される。さらに、バックル部２３は、固定部２３３ｂとバックル本体２３１の間の空隙２３２ｂを外面１１ｂから装着面１１ａ側に向う方向へ挿入される。そしてこの構成により、ベルト２２は、固定部２３３ａとバックル本体２３１および、固定部２３３ｂとバックル本体２３１の２箇所で挟み込まれる。したがって、ベルト２２の緩みが発生しにくくなる。
【００４３】
グランド電極１６の先端は、ベルト２２の本体ケース２１との結合側の反対に設けられている。すなわち、グランド電極１６の先端は、ベルト２２の先端まで延在されていることが好ましい。この構成により、グランド電極１６は、腕１００４ａの周りを一周するようにして装着される。したがって、腕１００４ａの方向性によも安定した通信をすることができる。
【００４４】
なお、グランド電極１６の先端は、ベルト２２の先端まで延在した構成に限られず、ベルト２２を空隙２３２へ挿通した状態で、グランド電極１６の先端は少なくともバックル部２３と重なる位置まで延在されている構成でもよい。この場合、外側ケース２１２あるいはバックル本体２３１は金属製で形成し、グランド電極１６と電気的に接続することが好ましい。この構成により外側ケース２１２やバックル本体２３１もグランド電極として働く。この構成により、グランド電極１６を腕１００４ａの周りを一周するように形成できる。またこの場合、ベルト２２は外側ケース２１２やバックル本体２３１の外面側を通過する。そして、ベルト２２の表層は絶縁体２２ａで覆われている。したがって、装着者１００４が外側ケース２１２やバックル本体２３１に触れる可能性を小さくできる。また、金属体が外側ケース２１２やバックル本体２３１に触れる可能性も小さくできる。その結果、安定した通信を得ることができる。
【００４５】
なお望ましくは、グランド電極の先端は、前記グランド電極の前記根元と重なる位置まで延在されている構成であると良い。この構成により、グランド電極１６を腕１００４ａの周りを一周するように形成できる。特にこの場合、外側ケース２１２やバックル本体２３１を樹脂によって形成しても、グランド電極１６を腕１００４ａの周りを一周するように形成できる。また、外側ケース２１２やバックル本体２３１を樹脂によって形成すれば、外側ケース２１２やバックル本体２３１などへ金属体などが接触しても安定して通信することができる。
【００４６】
以上のように、本開示における技術の例示として、上記の実施の形態を説明した。しかしながら、本開示における技術は、上記に限定されず、適宜、変更、置換、付加、省略などを行った実施の形態にも適用可能である。また、実施の形態で説明する各構成要素を組み合わせて、新たな実施の形態とすることも可能である。
【産業上の利用可能性】
【００４７】
本発明にかかるデータ通信装置は、安定して通信できるという効果を有し、人体に装着して通信する人体通信を用いる機器に用いると有用である。
【符号の説明】
【００４８】
１１  データ通信装置
１１ａ  装着面
１１ｂ  外面
１２  電源部
１３  通信部
１３ａ  送信器
１３ｂ  受信器
１３ｃ  制御回路
１３ｄ  メモリ
１４  通信アンテナ
１５  通信電極
１５ａ  表面
１５ｂ  面
１６  グランド電極
１６ａ  面
１６ｂ  面
１７  グランド
１８  外部入出力
１９  表示部
２１  本体ケース
２１ａ  底面
２１ｂ  側面
２１ｃ  枠部
２１ｄ  前面
２２  ベルト
２２ａ  絶縁体
２３  バックル部
２１１  装着側ケース
２１２  外側ケース
２３１  バックル本体
２３２  空隙
２３２ａ  空隙
２３２ｂ  空隙
２３３、２３３ａ、２３３ｂ  固定部
１００１  データ通信システム
１００２  通信制御装置
１００２ａ  通信電極
１００２ｂ  グランド電極
１００２ｃ  通信部
１００３  アース
１００４  装着者
１００４ａ  腕
１００４ｂ  指
１００４ｃ  手
【図１】
2019114833.tif 000003
【図２】
2019114833.tif 000004
【図３】
2019114833.tif 000005
【図４】
2019114833.tif 000006
【図５】
2019114833.tif 000007
【図６】
2019114833.tif 000008
【図７】
2019114833.tif 000009
【図８】
2019114833.tif 000010
【図９】
2019114833.tif 000011
【図１０】
2019114833.tif 000012
【図１１】
2019114833.tif 000013
【図１２】
2019114833.tif 000014